(57)【要約】  本発明は、シート状物に照明光を照射する、シート状物の幅方向が長手方向である長尺の光照射手段と、光照射手段からシート状物への光路間に位置し、光照射手段の長手方向に平行な方向に、遮光部と開口部とが交互に並んだ第一の遮光手段と、前記光照射手段からシート状物への光路間で、第一の遮光手段とシート状物との間に位置し、光照射手段の長手方向に平行な方向に、遮光部と開口部とが交互に並んだ第二の遮光手段と、を有し、第二の遮光手段の遮光部と光照射手段との間に第一の遮光手段の開口部があり、第一の遮光手段の開口部が第二の遮光手段の遮光部よりも、その光照射手段の長手方向に平行な方向の長さが短い、ことを特徴とする。
2020059426.tif 000002
【特許請求の範囲】
【請求項１】
シート状物の欠点検査に用いられる照明であって、
シート状物に照明光を照射する、前記シート状物が当該照明に対して移動する第１の方向と前記シート状物の表面上において直交する第２の方向に延びる長尺の光照射手段と、
前記光照射手段から前記シート状物への光路間に位置し、前記第２の方向に平行な方向に、遮光部と開口部とが交互に並んだ第一の遮光手段と、
前記光照射手段から前記シート状物への光路間において、前記第一の遮光手段と前記シート状物との間に位置し、前記第２の方向に平行な方向に、遮光部と開口部とが交互に並んだ第二の遮光手段と、
を有し、
前記第１および第２の方向と直交する第３の方向において前記第二の遮光手段の遮光部と前記光照射手段との間に前記第一の遮光手段の開口部があり、
前記第一の遮光手段の開口部が、前記第二の遮光手段の遮光部よりも、前記第２の方向の長さが短い、
シート状物の欠点検査用照明。
【請求項２】
前記第一の遮光手段の遮光部および／または前記第二の遮光手段の遮光部が、前記光照射手段に向いた側に、前記光照射手段の側に凸となる光反射部材を備えた、請求項１に記載のシート状物の欠点検査用照明。
【請求項３】
請求項１または２に記載のシート状物の欠点検査用照明と、
前記欠点検査用照明から出射され、前記シート状物を透過した光を撮像する撮像手段と、
前記撮像手段の取得した撮像データに基づいて前記シート状物に発生した欠点を検出する画像処理手段と、
を有するシート状物の欠点検査装置。
【請求項４】
前記光照射手段の長手方向と前記撮像手段の撮像方向とが平行であって、
前記撮像手段が、前記撮像方向の各位置での光軸が互いに平行であり、
前記欠点検査用照明から出射された光が前記シート状物を透過する各位置において、前記シート状物を透過した光の透過方向と前記撮像手段の光軸とのなす角度が、前記撮像手段の開口角度よりも大きい、請求項３に記載のシート状物の欠点検査装置。
【請求項５】
請求項１または２に記載のシート状物の欠点検査用照明と、
前記欠点検査用照明から出射され、前記シート状物で反射した光を撮像する撮像手段と、
前記撮像手段の取得した撮像データに基づいて前記シート状物に発生した欠点を検出する画像処理手段と、
を有するシート状物の欠点検査装置。
【請求項６】
前記光照射手段の長手方向と前記撮像手段の撮像方向とが平行であって、
前記撮像手段が、前記撮像方向の各位置での光軸がお互いに平行であり、
前記欠点検査用照明から照射された光が前記シート状物に反射する各位置において、前記シート状物で正反射した光の反射方向と前記撮像手段の光軸とのなす角度が、前記撮像手段の開口角度よりも大きい、請求項５に記載のシート状物の欠点検査装置。
【請求項７】
前記撮像手段がテレセントリックレンズを備えた、請求項４または６に記載のシート状物の欠点検査装置。
【請求項８】
前記撮像手段が撮像方向の長さと同じ長さの一次元受光手段を備えた、請求項４または６に記載のシート状物の欠点検査装置。
【請求項９】
前記一次元受光手段が密着イメージセンサである、請求項８に記載のシート状物の欠点検査装置。
【請求項１０】
照明手段と撮像手段とを用い、照明手段から出射されてシート状物を透過した光を撮像手段で撮像することで、シート状物の欠点の有無を検査する方法であって、
前記照明手段によって、前記シート状物を透過する各位置において、前記シート状物を透過した光の透過方向と前記撮像手段の光軸とのなす角度が、前記撮像手段の開口角度よりも大きい光を、シート状物が当該照明手段に対して移動する第１の方向と前記シート状物の表面上において直交する第２の方向に沿って出射し、
撮像方向がシート状物の第２の方向に平行であり、前記撮像方向の各位置での光軸が互いに平行である前記撮像手段によって撮像し、
前記撮像手段によって撮像された画像データを用いて、前記シート状物の欠点の有無を判定する、
シート状物の欠点検査方法。
【請求項１１】
照明手段と撮像手段とを用い、照明手段から出射されてシート状物を反射した光を撮像手段で撮像することで、シート状物の欠点の有無を検査する方法であって、
前記照明手段によって、前記シート状物に反射する各位置において、前記シート状物で反射した正反射光の反射方向と前記撮像手段の光軸とのなす角度が、前記撮像手段の開口角度よりも大きい光を、シート状物が当該照明手段に対して移動する第１の方向と前記シート状物の表面上において直交する第２の方向に沿って出射し、
撮像方向がシート状物の第２の方向に平行であり、前記撮像方向の各位置での光軸が互いに平行である前記撮像手段によって撮像し、
前記撮像手段によって撮像された画像データを用いて、前記シート状物の欠点の有無を判定する、
シート状物の欠点検査方法。
【発明の詳細な説明】
【技術分野】
【０００１】
本発明は、シート状物の欠点検査用照明、シート状物の欠点検査装置、およびシート状物の欠点検査方法に関する。
【背景技術】
【０００２】
従来、表面が平滑なシート状物に存在するキズ等の欠点の有無を検査することを目的として、シート状物に光を照射し、キズ等の欠点が存在した場合、そのキズによる散乱光を読み取り、シート状物上のキズ等の欠点を検出する検査装置および検査方法がある。このような検査装置においては、シート状物の幅方向に対して平行またはそれに近い方向に、蛍光灯などのライン状光照射手段および撮像手段を配置して欠点による散乱光を受光し検出することが一般的である。【０００３】
そして、得られた散乱光の受光量の強弱（光量値の大小）で欠点（例えばキズ）の強弱を判断し、品質上問題となる強い欠点を有する製品の流出防止や品質管理を行うことが一般的である。【０００４】
上記の方法で透明なシート状物上に存在するキズ等の欠点検査は、シート状物に光を反射させて検査する場合と光を透過させて検査する場合がある。上記の方法で連続的に搬送される透明なシート状物上に存在するキズ等の欠点検出原理を図１３〜図１６を用いて以下に説明する。図１３、図１４は、検査対象物に光を反射させて検査する場合の欠点検出原理の説明図、図１５、図１６は、検査対象物に光を透過させて検査する場合の欠点検出原理の説明図である。図１３、図１４内においては、ライン状照射光源１２は図の紙面に垂直な方向に延びて配置されており、シート状物５上の欠点１００（図１４、１６参照）も同様に紙面に垂直な方向に延びて存在しているとする。また一般的に、シート状物５の幅方向とライン状照射光源１２の長手方向が一致することが多いため図の紙面垂直方向（Ｙ方向）をシート幅方向（光源長手方向）、紙面左右方向（Ｘ方向）をシート状物５が連続的に搬送される搬送方向であり、シート長手方向（光源短手方向）、紙面上下方向（Ｚ方向）をシート鉛直方向（撮像手段光軸方向）とする。【０００５】
まず図１３および図１４に、シート状物５に対して同一面側にライン状照射光源１２と撮像手段６を配置し、シート状物５の表面に存在する幅方向（Ｙ方向）に平行な欠点１００による反射散乱光を検出することによって欠点を検出する場合を示す。ここで、撮像手段６の光学中心線８は、ライン状照射光源１２から出射されシート状物で正反射した光の光軸１０（正反射光軸）に対してずらして配置されている。そのためシート状物５の表面に欠点がない場合には、図１３のようにシート状物５の表面の法線（ここではＺ方向）に対して入射光と線対称な方向にのみ光が反射して、撮像手段６には光は入光しない。しかし、シート状物５の表面に幅方向（Ｙ方向）に平行な欠点１００が存在する場合には、図１４に示すように幅方向（Ｙ方向）に平行な欠点１００によって反射散乱光１４が発生する。反射散乱光１４のうち、撮像手段６に向かう成分１５が撮像手段６に入光して、その欠点を検出することができる。【０００６】
次に図１５および図１６に、シート状物５を挟んでライン状照射光源１２と撮像手段６とを配置し、シート状物５の表面に存在する幅方向（Ｙ方向）に平行な欠点１００による透過散乱光を検出することによって欠点を検出する場合を示す。ここで撮像手段６の光学中心線８は、ライン状照射光源１２の光軸に対してずれて配置されている。そのためシート状物５の表面に欠点がない場合には、図１５のようにシートにおいて光が何ら散乱されることなく直線状に透過するため、撮像手段６には光は入光しない。しかし、シート状物５の表面に幅方向（Ｙ方向）に平行な欠点１００が存在する場合には、図１６に示すように幅方向（Ｙ方向）に平行な欠点１００によって透過散乱光１６が発生する。透過散乱光１６のうち、撮像手段６に向かう成分１７が撮像手段６に入光して、その欠点を検出することができる。【０００７】
しかしながら上記の方法においては、キズの方向に対して垂直な入射面をもつ光を照射した場合は散乱光が強く感度は高いが、キズの方向に対して平行な入射面をもつ光を照射した場合は散乱光が弱く感度が低い。したがって上記の方法で、一般的なライン状照射光源である蛍光灯や平行束の光ファイバライトといった光源を用いた場合、シート幅方向（Ｙ方向）に平行なキズの検出感度は高いが、シート長手方向（Ｘ方向）に平行なキズの検出感度は低いという問題があった。【０００８】
そこで、シート長手方向（Ｘ方向）に平行なキズを高感度に検出する技術が特許文献１に開示されている。図１７は、特許文献１に開示されている実施形態を模式的に示す斜視図である。図１７に示すように、特許文献１には光ファイバからなるライン状光照射手段１８、撮像手段６などからなる検査装置が開示されている。撮像手段６は、光を検知する固体撮像装置として、ラインＣＣＤカメラ等のモニターカメラで読み取ることが開示されている。光ファイバからなるライン状光照射手段１８は、少なくとも２系列の光ファイバ束１８ａと１８ｂで構成され、各系列は光ファイバ出射端から出射する光の光軸方向が、Ｚ方向に対してそれぞれθ７ａおよびθ７ｂの角度をなすように配置されている。図１７において、光ファイバ束１８ａ、１８ｂは、光の出射端が互いに異なる方向に向いている。この検査装置は、シート状物５の長手方向Ｘに平行な欠点１０１に対して垂直な入射面をもつ光を照射して検出する技術である。角度θ７ａ、θ７ｂは、どの系列ともにＸ方向に亘って一定であり、このような照明を斜光照明といい、角度θ７ａ，θ７ｂをクロスさせた斜光照明はクロス斜光照明という。
【先行技術文献】
【特許文献】
【０００９】
【特許文献１】特開２００８−２１６１４８号公報
【発明の概要】
【発明が解決しようとする課題】
【００１０】
しかしながら、特許文献１の検査方法には次のような問題点がある。この問題点を、図１７を用いて説明する。長手方向（Ｘ方向）に平行な欠点１０１を検出する場合、特許文献１の検査方法ではある程度の指向性と強度分布を有する透過散乱光１６が生じる。この透過散乱光１６の分布と強度とは、照射光１３の強度、照射光１３がＸ方向においてＺ方向の軸となす角度θ７ａ、θ７ｂ、およびキズの強度、形状、サイズ等に依存するが、キズの位置には依存しないため、長手方向（Ｘ方向）に平行な欠点１０１によって生じる透過散乱光１６は、キズの強度が強いものほど強く、キズの強度が弱いものほど弱くなる。一般的に検査機におけるキズの強弱判定は受光量に依るが、上記の場合、キズの強度が弱いものは、十分な受光量が得られず欠点の見逃しが発生してしまう。【００１１】
このような見逃しを避けるために、一般的には照射光１３がＸ方向においてＺ方向の軸となす角度θ７ａおよびθ７ｂを、撮像手段６に対して直接入射光が入り込んで検査に支障が出ない程度まで角度を小さくすることが行われる。これにより、キズによって生じる透過散乱光１６がキズの強度に対して相対的に強くなり、十分な受光量が得られ欠点検出できるようになる。【００１２】
しかし、特許文献１の検査方法ではライン状光照射手段１８から照射する光の角度θ７ａ、θ７ｂを制御する機構として、光ファイバを用いている。光ファイバは、一般的にはその材質によって光の開口角度φ（光ファイバ出射端からの光の広がり角度）が決まるため、例えば一般的によく用いられる多成分ガラスファイバの場合、光の開口角度φは７０度、安価なプラスチックファイバの場合、光の開口角度φは６０度、高価な石英ファイバの場合、光の開口角度φは２５度である。またその光出射方向に対しての光強度の分布は、ファイバ端に垂直な中心方向が最も強く、そこから周囲方向に広がる成分は暫時弱くなる。そのため、光ファイバの開口角度が一定の広がりを持ち、かつ周辺角度部分では光強度の低下が避けられないため、キズの強度が弱いものを検出するには限界がある。【００１３】
また、上記の通り光ファイバから出射される光は、光出射方向に対しての光強度の分布が、ファイバ端に垂直な中心方向が最も強く、そこから周囲方向に広がる成分は暫時弱くなる。しかし、周囲方向に広がる成分は弱いとはいえ、光ファイバの光出射端面や側面などから拡散光として漏れ出る一定量の光成分が存在する。そのため、撮像手段６の光軸中心の直下に光ファイバからなるライン状光照射手段１８を設置すると、光ファイバから漏れ出る光成分が撮像手段６に直接入射することが避けられない。そのため、漏れ出る光成分が撮像手段６で画像化される際に輝度値が飽和してキズを検出する妨げとならないように、光量を十分に弱く設定するがある。この場合、キズによって生じる透過散乱光１６を相対的に強くすることができないため、十分な受光量が得られないことから、キズの強度が弱いものを検出するには限界がある。【００１４】
また、光ファイバからなるライン状光照射手段１８を撮像手段６の光軸中心の直下からシート長手方向（Ｘ方向）に傾けた状態として設置することで、上記の光ファイバから漏れ出る光成分が撮像手段６に直接入射しないようにし、撮像手段６で画像化される際に輝度値が飽和しないようにして光量を強く設定することもできる。しかし、この構成では光の照射方向は長手方向（Ｘ方向）と幅方向（Ｙ方向）の合成方向からとなり、長手方向（Ｘ方向）に平行な欠点１０１に対して垂直な方向からの光を照射できず、長手方向（Ｘ方向）に平行な欠点１０１の検出感度を十分に確保することができない。【００１５】
以上の理由から、シート長手方向（Ｘ方向）に平行なキズを高感度に検出することは非常に意義のあるものである。【００１６】
本発明は、上記を鑑みてなされたものであって、シート状物の搬送方向に平行なキズを高感度に検出するシート状物の欠点検査用照明、シート状物の欠点検査装置ならびにシート状物の欠点検査方法を提供する。
【課題を解決するための手段】
【００１７】
上記課題を解決する本発明のシート状物の欠点検査用照明は、シート状物の欠点検査に用いられる照明であって、
シート状物に照明光を照射する、前記シート状物が当該照明に対して移動する第１の方向と前記シート状物の表面上において直交する第２の方向に延びる長尺の光照射手段と、
前記光照射手段から前記シート状物への光路間に位置し、前記第２の方向に平行な方向に、遮光部と開口部とが交互に並んだ第一の遮光手段と、
前記光照射手段から前記シート状物への光路間において、前記第一の遮光手段と前記シート状物との間に位置し、前記第２の方向に平行な方向に、遮光部と開口部とが交互に並んだ第二の遮光手段と、
を有し、
前記第１および第２の方向と直交する第３の方向において前記第二の遮光手段の遮光部と前記光照射手段との間に前記第一の遮光手段の開口部があり、
前記第一の遮光手段の開口部が、前記第二の遮光手段の遮光部よりも、前記第２の方向の長さが短い。【００１８】
本発明のシート状物の欠点検査用照明は、上記第一の遮光手段の遮光部および／または上記第二の遮光手段の遮光部が、上記光照射手段に向いた側に、上記光照射手段の側に凸となる光反射部材を備えることが好ましい。【００１９】
上記課題を解決する本発明のシート状物の欠点検査装置は、
本発明のシート状物の欠点検査用照明と、
上記欠点検査用照明から出射され、上記シート状物を透過した光を撮像する撮像手段と、
上記撮像手段の取得した撮像データに基づいて上記シート状物に発生した欠点を検出する画像処理手段と、を有する。【００２０】
本発明のシート状物の欠点検査装置は、上記光照射手段の長手方向と上記撮像手段の撮像方向とが平行であって、
上記撮像手段が、上記撮像方向の各位置での光軸がお互いに平行であり、
上記欠点検査用照明から照射された光が上記シート状物を透過する各位置において、上記シート状物を透過した光の透過方向と上記撮像手段の光軸とのなす角度が、上記撮像手段の開口角度よりも大きいことが好ましい。【００２１】
上記課題を解決する本発明のシート状物の欠点検査装置は、
本発明のシート状物の欠点検査用照明と、
上記欠点検査用照明から出射され、上記シート状物で反射した光を撮像する撮像手段と、
上記撮像手段の取得した撮像データに基づいて上記シート状物に発生した欠点を検出する画像処理手段と、を備える。【００２２】
本発明のシート状物の欠点検査装置は、上記光照射手段の長手方向と上記撮像手段の撮像方向とが平行であって、
上記撮像手段が、上記撮像方向の各位置での光軸がお互いに平行であり、
上記欠点検査用照明から出射された光が上記シート状物に反射する各位置において、上記シート状物で正反射した光の反射方向と上記撮像手段の光軸とのなす角度が、上記撮像手段の開口角度よりも大きいことが好ましい。【００２３】
本発明のシート状物の欠点検査装置は、上記撮像手段がテレセントリックレンズを備えることが好ましい。【００２４】
本発明のシート状物の欠点検査装置は、上記撮像手段が撮像方向の長さと同じ長さの一次元受光手段を備えることが好ましい。【００２５】
本発明のシート状物の欠点検査装置は、上記一次元受光手段が密着イメージセンサであることが好ましい。【００２６】
上記課題を解決する本発明のシート状物の欠点検査方法は、照明手段と撮像手段とを用い、照明手段から出射されてシート状物を透過した光を撮像手段で撮像することで、シート状物の欠点の有無を検査する方法であって、
前記照明手段によって、前記シート状物を透過する各位置において、前記シート状物を透過した光の透過方向と前記撮像手段の光軸とのなす角度が、前記撮像手段の開口角度よりも大きい光を、シート状物が当該照明手段に対して移動する第１の方向と前記シート状物の表面上において直交する第２の方向に沿って出射し、
撮像方向がシート状物の第２の方向に平行であり、前記撮像方向の各位置での光軸が互いに平行である前記撮像手段によって撮像し、
前記撮像手段によって撮像された画像データを用いて、前記シート状物の欠点の有無を判定する。【００２７】
上記課題を解決する本発明のシート状物の欠点検査方法は、照明手段と撮像手段とを用い、照明手段から出射されてシート状物を反射した光を撮像手段で撮像することで、シート状物の欠点の有無を検査する方法であって、
前記照明手段によって、前記シート状物に反射する各位置において、前記シート状物で反射した正反射光の反射方向と前記撮像手段の光軸とのなす角度が、前記撮像手段の開口角度よりも大きい光を、シート状物が当該照明手段に対して移動する第１の方向と前記シート状物の表面上において直交する第２の方向に沿って出射し、
撮像方向がシート状物の第２の方向に平行であり、前記撮像方向の各位置での光軸が互いに平行である前記撮像手段によって撮像し、
前記撮像手段によって撮像された画像データを用いて、前記シート状物の欠点の有無を判定する。
【発明の効果】
【００２８】
本発明によれば、シート状物の搬送方向に平行なキズを検出する際に、高い感度の欠点検出が可能となる。
【図面の簡単な説明】
【００２９】
【図１】図１は、本発明の実施の形態にかかるシート状物の欠点検査装置の一実施形態の模式図である。
【図２】図２は、本発明の実施の形態にかかるシート状物の欠点検査用照明の一実施形態の模式図である。
【図３】図３は、変形例１にかかる撮像手段であって、本発明のシート状物の欠点検査装置の別の一実施形態であって、撮像手段のレンズにテレセントリックレンズを設けた構成の模式図である。
【図４】図４は、変形例２にかかる撮像手段であって、本発明のシート状物の欠点検査装置の別の一実施形態であって、撮像手段に近接イメージセンサを設けた構成の模式図である。
【図５】図５は、変形例３にかかる欠点検査照明であって、図２のシート状物の欠点検査用照明において、第一の遮光手段に光反射部材を設けた構成の模式図である。
【図６】図６は、変形例４にかかる欠点検査照明であって、図２のシート状物の欠点検査用照明において、第二の遮光手段に光反射部材を設けた構成の模式図である。
【図７】図７は、本発明のシート状物の欠点検査用照明の別の一実施形態（変形例５）であって、第一の遮光手段と第二の遮光手段との間に透明な板状体を設けた構成の模式図である。
【図８】図８は、本発明のシート状物の欠点検査用照明の一実施形態（変形例６）であって、第一の遮光手段に光反射部材を設けた構成の模式図である。
【図９】図９は、本発明のシート状物の欠点検査用照明の一実施形態（変形例７）であって、第二の遮光手段に光反射部材を設けた構成の模式図である。
【図１０】図１０は、本発明のシート状物の欠点検査装置の別の一実施形態（変形例８）であって、欠点検査用照明と撮像手段とが反射構成で配置された模式図である。
【図１１】図１１は、本発明のシート状物の欠点検査装置の別の一実施形態（変形例９）であって、欠点検査用照明と撮像手段とが反射構成で配置された模式図である。
【図１２】図１２は、本発明のシート状物の欠点検査装置の別の一実施形態（変形例１０）であって、ライン状照射光源を設けた構成の模式図である。
【図１３】図１３は、検査対象物に光を反射させて検査する場合の欠点検出原理の説明図である。
【図１４】図１４は、検査対象物に光を反射させて検査する場合の欠点検出原理の説明図である。
【図１５】図１５は、検査対象物に光を透過させて検査する場合の欠点検出原理の説明図である。
【図１６】図１６は、検査対象物に光を透過させて検査する場合の欠点検出原理の説明図である。
【図１７】図１７は、特許文献１に開示されている実施形態を模式的に示す斜視図である。
【発明を実施するための形態】
【００３０】
以下に、シートの欠点検査用照明、シートの欠点検査装置、およびシート状物の欠点検査方法の実施の形態を図面に基づいて詳細に説明する。なお、この実施の形態によりこの発明が限定されるものではない。
【００３１】
本発明において「シート状物」とは、例えばフィルムなどのシートもしくは板状の物体であるが、これに限られたものではない。ただし、透過光学系で検査する場合は、透明または半透明である必要がある。「欠点」とはシート状物の表面または内部に存在するキズ、異物、汚れ、凹凸などを示している。また、「撮像手段」とは、光を電気信号に変換できるものを指し、例えば受光素子が１次元に配置されたラインセンサカメラが好適に用いられる。ただし、ラインセンサカメラに限らず、２次元に配置されたエリアセンサカメラや光電子増倍管などを用いてもよい。「光軸」とは検査面から撮像手段の光受光素子へ向かう線を指す。
【００３２】
（実施の形態）
＜シート状物の欠点検査装置＞
本発明の実施の形態にかかるシート状物の欠点検査装置について詳細に説明する。なお、本発明のシート状物の欠点検査装置は、本発明のシート状物の欠点検査用照明、撮像手段および画像処理手段を備えていればよく、他の手段をさらに備えているかどうかは特に限定されない。そのため、以下に示される他の手段は例示であり、適宜設計変更され得る。
【００３３】
図１を参照して、本実施の形態にかかるシート状物の欠点検査装置について説明する。図１は、本発明の実施の形態にかかるシート状物の欠点検査装置の一実施形態の模式図である。以下、シート状物５が連続的に搬送される搬送方向であり、シート状物５の長手方向（光源短手方向）をＸ方向、シート状物の幅方向をＹ方向、長手方向および幅方向と直交する鉛直方向（撮像手段光軸方向）をＺ方向とする。Ｘ方向、Ｙ方向およびＺ方向は、互いに直交する。また、シート状物の幅方向は、シート状物の表面上においてシート状物の長手方向（搬送方向）と直交する。図１の（ａ）は、Ｘ方向からみた欠点検査装置の構成を示す平面図である。図１の（ｂ）は、Ｙ方向からみた欠点検査装置の構成を示す平面図である。Ｘ方向は第１の方向、Ｙ方向は第２の方向、Ｚ方向は第３の方向に相当する。この欠点検査装置は、本発明のシート状物の欠点検査用照明、欠点検査用照明から出射されシート状物５を透過した光を撮像する撮像手段６、および撮像手段６の取得した撮像データに基づいてシート状物５に発生した欠点を検出する画像処理手段７で構成されている。この欠点検査装置は、欠点検査用照明と撮像手段６とが透過構成で配置された一例である。
【００３４】
＜シート状物の欠点検査用照明＞
続いて、図１および図２を参照して、本実施の形態にかかるシート状物の欠点検査用照明について説明する。図２は、本発明の実施の形態にかかるシート状物の欠点検査用照明の一実施形態の模式図である。光照射手段１は発光部１ａから出射される光をシート状物５に照射する。光照射手段１は、その長手方向がシート状物５の幅方向（Ｙ方向）と平行になるよう配置されている。発光部１ａは光照射手段１のシート状物を向いた方向の一面に備えられ、拡散光を出射する発光面を有する。光照射手段１は、シート状物５の幅方向（Ｙ方向）に沿って光を出射する。拡散光は完全拡散光であることが好ましいため、発光部１ａは蛍光管や拡散板付ＬＥＤ照明などで構成される。発光部１ａはＬＥＤや光ファイバなどの多数の点状発光体を一様に並べた構成であってもよい。発光色は特に指定はなく、分光波長特性が平坦な白色光、赤色、緑色、青色などの単色光、紫外光や赤外光などの可視光線以外の波長帯域の光を用いることができ、またはこれらいずれかの波長帯域の光を組み合わせてもよい。
【００３５】
発光部１ａの直上には、第一の遮光手段２が備えられている。第一の遮光手段２は、遮光部２ａと開口部２ｂとを備えている。遮光部２ａと開口部２ｂとは、交互に幅方向（Ｙ方向）に平行な方向に連続的に配置されている。第一の遮光手段２の遮光部２ａは、光照射手段から照射される光を遮光できる材質であればどのような材質で構成されてもよい。例えば帯状の金属板の開口部２ｂに相当する部分を打ち抜いて製作された、遮光部２ａと開口部２ｂとが連続的に配置された金属板が好適に使用される。遮光性が確保できるのであれば樹脂板を用いてもよい。また、遮光性のない透明性の高い帯状の板を使用して、その板の遮光部２ａに相当する部分に遮光性の塗料を塗布したり、遮光性の板を張り合わせたりした構成であってもよい。いずれにしても遮光部２ａには遮光性を確保出来る部材が用いられることが重要である。
【００３６】
第一の遮光手段２とシート状物５との間には、第二の遮光手段３が備えられている。第二の遮光手段３も、第一の遮光手段２と同じく遮光部３ａと開口部３ｂとを備えており、遮光部３ａと開口部３ｂとは、交互に幅方向（Ｙ方向）に平行な方向に連続的に配置されている。遮光部３ａで、光照射手段１から出射される光のうち、第一の遮光手段２の開口部２ｂを透過した光の一部を遮光する。遮光部３ａに遮光性を確保出来る部材が用いられていれば、第二の遮光手段３も第一の遮光手段２と同様な構成でよい。
【００３７】
第二の遮光手段３の開口部３ｂと発光部１ａとの間には、第一の遮光手段２の遮光部２ａが、垂直方向（Ｚ方向）において、開口部３ｂの中心位置と揃うように配置される。また、第二の遮光手段３の遮光部３ａと発光部１ａの間には、第一の遮光手段２の開口部２ｂが、垂直方向（Ｚ方向）において、遮光部３ａの中心位置と揃うように配置されている。さらに、第一の遮光手段２の開口部２ｂは、第二の遮光手段３の遮光部３ａよりも幅方向（Ｙ方向）の長さが短くなっている。このような構成とすることで、光照射手段１からの垂直方向（Ｚ方向）の光出射成分のうち第一の遮光手段２の開口部２ｂを透過した光は、第二の遮光手段３の遮光部３ａで遮光され、シート状物５に照射されない。一方、光照射手段１から出射され、垂直方向から幅方向（Ｙ方向）に傾いて進行する光成分のうち、第一の遮光手段２の開口部２ｂおよび第二の遮光手段３の開口部３ｂを透過した光が、シート状物５に照射される。
【００３８】
第一の遮光手段２の遮光部２ａの幅をＡ１、第一の遮光手段２の開口部２ｂの幅をＢ１、第二の遮光手段３の遮光部３ａの幅をＡ２、第二の遮光手段３の開口部３ｂの幅をＢ２、第一の遮光手段２と第二の遮光手段３との距離をＨ、第一の遮光手段２の厚みをＴ１、第二の遮光手段３の厚みをＴ２、とすると、第一の遮光手段２からシート状物５に対して出射され、２つの遮光部２ａ、３ａを透過する光の最小出射角度θ１と最大出射角度θ２とは、それぞれ下記式１、２で求めることができる。なお、出射角度は、光（光の進行方向）と、撮像手段６の光軸方向（Ｚ方向）とがなす角度である。
【００３９】
（式１）
θ１＝ａｒｃｔａｎ（（Ａ２−Ｂ１）÷（２×Ｈ））
（式２）
θ２＝ａｒｃｔａｎ（（Ｂ２＋（Ａ２＋Ｂ１）÷２）
÷（Ｈ＋Ｔ１＋Ｔ２））
【００４０】
（撮像手段）
撮像手段６は、欠点検査用照明からシート状物５に対して出射された光がシート状物５上の欠点１００を介して散乱・屈折・反射した光のうち、撮像手段６の光軸（光学中心線８）方向の成分を受光し、画像データとして出力する。これに対し、シート状物５が欠点１００を有しない場合、撮像手段６は、光学中心線８方向の成分の光は受光しない。撮像手段６は１次元受光手段を備えるラインセンサカメラと光学レンズを組み合わせた構成が好適に用いられる。撮像手段６が１次元受光手段を備える場合、撮像手段６による走査方向が、シート状物５の長手方向（搬送方向）と平行となるように撮像手段６が配置される。その他にも、２次元受光手段を備えたエリアセンサカメラと光学レンズを組み合わせた構成を用いてもよい。
【００４１】
（画像処理手段）
画像処理手段７は、撮像手段６からの画像データを受け取り、画像データに欠点（欠点１００の像）が含まれていれば検出する。画像処理手段７は一般的な欠点検査用画像処理を備えていればよい。例えば、輝度ムラ補正を実施する輝度ムラ補正手段、特定の周波数成分欠点候補のみ画像データから抽出を行う空間フィルタ、欠点候補の輝度明暗により欠点候補の絞り込みを行う２値化手段、面積や長さなどの単数もしくは複数の形状情報の組み合わせによって、欠点か否か、もしくは欠点の程度を判別する判別手段、シート状物５の長手方向Ｘにおいてある一定の長さ周期で発生する欠点の周期性を判断する周期判定手段などを備えていればよい。画像処理手段７による判別結果は、画像処理手段７が備える出力手段によって報知されるか、または、外部装置に出力される。外部装置に出力された判定結果は、外部装置が備える出力手段によって出力されるか、判定情報として格納される。
【００４２】
本実施の形態のシート状物の欠点検査装置は、欠点検査用照明を構成する光照射手段１の長手方向と撮像手段６の撮像方向とが平行で、撮像手段６の撮像方向の各位置での光軸がお互いに平行であることが好ましい。これにより、シート状物５の撮像範囲全域において、撮像手段６の光軸と欠点検査用照明から出射される光（例えば、出射角度θ１〜θ２の範囲の光）とのなす角度が、撮像範囲のどの位置においても一定となる。その結果、欠点が撮像範囲のどの位置にあったとしても同じ感度で検出することができる。ここでいう「撮像方向」とは、例えば、一次元受光手段の一部を構成する一次元撮像素子の走査方向、すなわち一次元撮像素子の配置方向をさす。さらに、欠点検査用照明から出射された光がシート状物５を透過または反射する各位置において、シート状物５を透過した光の透過方向またはシート状物５を反射した光の正反射方向と撮像手段６の光軸とのなす角度が、撮像手段６の開口角度よりも大きいことが好ましい。これにより、シート状物５に欠点が存在しないときに、欠点検査用照明から出射された光が撮像手段６に受光されることがないので、検査感度が向上する。ここでいう「撮像手段の開口（開口角度）」とは、撮像手段６に入射して受光可能な光のうち、撮像手段６の光軸に対してなす角度の最大角度をさす。撮像手段６の開口（角度）よりも小さい角度の光は、撮像手段６で受光されるが、開口（角度）よりも大きい角度の光は受光されない。
【００４３】
以上説明した実施の形態にかかる欠点検査装置が備える欠点検査用照明は、シート状物に照明光を照射する、シート状物の幅方向が長手方向である長尺の光照射手段１と、光照射手段１からシート状物５への光路間に位置し、光照射手段１の長手方向に平行な方向に、遮光部２ａと開口部２ｂとが交互に並んだ第一の遮光手段２と、光照射手段１からシート状物５への光路間で、第一の遮光手段２とシート状物５との間に位置し、光照射手段１の長手方向に平行な方向に、遮光部３ａと開口部３ｂとが交互に並んだ第二の遮光手段３とを有し、第二の遮光手段３の遮光部３ａと光照射手段１との間に第一の遮光手段２の開口部２ｂがあり、第一の遮光手段２の開口部２ｂが第二の遮光手段３の遮光部３ａよりも、その光照射手段１の長手方向に平行な方向の長さが短い。本実施の形態によれば、撮像手段６の光軸（光学中心線８）方向の成分を遮光して、欠点由来の拡散光を確実に検出できるため、シート状物の長手方向およびこの長手方向と直交する方向に平行なキズをそれぞれ検出する際に、高い感度の欠点検出を行うことが可能となる。
【００４４】
なお、長尺のシート状物５が、ロール・トゥ・ロール搬送プロセスにより長手方向Ｘに対して搬送されてもよく、枚葉状態のシート状物５が、一軸もしくは二軸の直線搬送装置に把持させて搬送されてもよい。また、シート状物５を動かないように固定もしくは一時停止させて、撮像手段６および欠点検査用照明を一軸もしくは二軸の直線搬送装置に把持した状態で搬送して、シート状物５の全面を撮像してもよい。シート状物５、または撮像手段６および欠点検査用照明の搬送に際しては、ロータリーエンコーダやリニアエンコーダを用いて搬送の速度と撮像手段６の撮像タイミングとを同期させてもよい。
【００４５】
（変形例１）
撮像手段６は、光学レンズにテレセントリックレンズを備えてもよい。詳細を図３により説明する。図３は、変形例１にかかる撮像手段であって、本発明のシート状物の欠点検査装置の一実施形態であって、撮像手段のレンズにテレセントリックレンズを設けた構成の模式図である。テレセントリックレンズ６ａは、一般的な光学レンズと異なり、開口絞りがレンズの焦点位置にあるレンズのことで、主光線がレンズ光軸に対しレンズの物体側（シート状物５側）、像側（撮像手段側）、もしくは両側で平行（画角が０度）となる。そのためテレセントリックレンズ６ａの有効視野内では、撮像手段６は光軸が一定の向きとなるため、上記したシート状物の欠点検査用照明から出射された光がシート状物５を透過もしくは反射する各位置において、シート状物５を透過または反射した光の方向と撮像手段６の光軸とのなす角度を、撮像手段６の開口角度よりも大きくすることを容易に実現できる。
【００４６】
（変形例２）
また、撮像手段は、シート状物５の幅方向（Ｙ方向）の撮像領域の長さ（撮像方向の長さ）と同じ長さの一次元受光手段を備えてもよい。より具体的には、一次元受光手段には密着イメージセンサを用いてもよい。詳細を図４により説明する。図４は、変形例２にかかる撮像手段であって、撮像手段に近接イメージセンサを設けた構成の模式図である。近接イメージセンサ１１は、密着イメージセンサもしくはＣＩＳ（Ｃｏｎｔａｃｔ  Ｉｍａｇｅ  Ｓｅｎｓｏｒ）とも呼称されるもので、撮像視野と同じ幅の一次元受光センサアレイ１１ａと、その前面に設けられ、等倍結像系レンズのロッド状レンズアレイ１１ｂとを備える。一般的な光学レンズとカメラを組み合わせた構成の光学系が、撮像視野とイメージセンサの大小関係により縮小もしくは拡大倍率を有するためその倍率に応じて光学系に画角が生じるのに対して、近接イメージセンサ１１は等倍光学系となるため、画角が平行（０度）となる。そのため近接イメージセンサ１１の有効視野内では撮像手段６の光軸が概ね一定となる。
【００４７】
本変形例２によれば、撮像方向の長さと一次元受光手段の幅とを揃えることで、上記したシート状物の欠点検査用照明から照射された光がシート状物５を透過もしくは反射する各位置において、シート状物５を透過または反射した光の方向と前記撮像手段６の光軸とのなす角度を、撮像手段６の開口角度よりも大きくすることを容易に実現できる。
【００４８】
（変形例３）
本発明のシート状物の欠点検査用照明は、図２に図示した以外の構成をさらに備えていてもよい。図５を参照する。図５は、変形例３にかかる欠点検査照明であって、図２のシート状物の欠点検査用照明において、第一の遮光手段２に光反射部材２ｃを設けた構成の模式図である。第一の遮光手段２の遮光部２ａの光照射手段１側に、発光部１ａからの光を反射や散乱させることが可能な光反射部材２ｃが設置されている。光反射部材２ｃは光照射手段１の側に凸となる形状である。本変形例３によれば、第一の遮光手段２の遮光部２ａで遮られてシート状物５まで照射されない光出射成分を、光反射部材２ｃで反射や散乱させて光路を変えることで、開口部２ｂおよび開口部３ｂを透過させてシート状物５に照射できるようになる。このようにして光反射部材２ｃを経てシート状物５に照射される光は、最小出射角度θ３から最大出射角度θ４までの角度範囲の光となる。光反射部材２ｃは、幅方向Ｙを左右方向として、左右同程度の光量および傾きの光を照射することが好ましいので、左右対称な三角形状が好ましいが、必要な出射角度範囲に応じた形状であればよい。
【００４９】
（変形例４）
図６を参照する。図６は、変形例４にかかる欠点検査照明であって、図２のシート状物の欠点検査用照明において、第二の遮光手段３に光反射部材３ｃを設けた構成の模式図である。第二の遮光手段３の遮光部３ａの光照射手段１側に、第一の遮光手段２の開口部２ｂを透過した光を反射や散乱させることが可能な光反射部材３ｃが設置されている。第一の遮光手段２の開口部２ｂは透過したが、第二の遮光手段３の遮光部３ａで遮られてシート状物５まで照射されない光出射成分を、光反射部材３ｃで反射や散乱させて光路を変えることで、開口部３ｂを透過させてシート状物５に照射できるようになる。このようにして光反射部材３ｃを経てシート状物５に照射される光は、最小出射角度θ５から最大出射角度θ６までの角度範囲の光となる。光反射部材３ｃも、上記の光反射部材２ｃと同じく、幅方向Ｙを左右方向として、左右同程度の光量および傾きの光を照射することが好ましいので、左右対称な三角形状が好ましいが、必要な出射角度範囲に応じた形状であればよい。
【００５０】
本変形例３、４によれば、光反射部材２ｃまたは光反射部材３ｃを備えることで、実施の形態において光照射手段１から出射され、遮光部２ａまたは遮光部２ｂに遮られてシート状物５へ照射されなかった光出射成分の一部を、シート状物５へ照射させることができるので、光の利用効率が向上する。
【００５１】
（変形例５）
図７を参照する。図７は、本発明のシート状物の欠点検査用照明の別の一実施形態（変形例５）であって、第一の遮光手段２と第二の遮光手段３との間に透明な板状体４を設けた構成の模式図である。透明な板状体としてはガラス板や透明樹脂板などが好適に用いられる。本変形例５によれば、第一の遮光手段２と第二の遮光手段３に空気が介在する場合に比べて光の屈折率が高くなるため、その分だけ第一の遮光手段２と第二の遮光手段３との距離Ｈ（図２参照）を短くすることができる。
【００５２】
（変形例６）
また、図８は、本発明のシート状物の欠点検査用照明の一実施形態（変形例６）であって、第一の遮光手段２と第二の遮光手段３との間に透明な板状体４を設け、さらに第一の遮光手段に光反射部材２ｃを設けた構成の模式図である。第一の遮光手段２の遮光部２ａの光照射手段１側に、発光部１ａからの光を反射や散乱させることが可能な光反射部材２ｃが設置されている。この図８の実施形態での光反射部材２ｃおよび板状体４の効果、素材、形状は、図５の実施形態での光反射部材２ｃ、図７の実施形態での板状体４と同じである。
【００５３】
（変形例７）
また、図９は、本発明のシート状物の欠点検査用照明の一実施形態（変形例７）であって、第一の遮光手段２と第二の遮光手段３との間に透明な板状体４を設け、さらに第二の遮光手段に光反射部材３ｃを設けた構成の模式図である。第二の遮光手段３の遮光部３ａの第一の遮光手段２側に、第一の遮光手段２の開口部２ｂを透過した光を反射や散乱させることが可能な光反射部材３ｃが設置されている。この図９の実施形態での光反射部材３ｃおよび板状体４の効果、素材、形状は、図６の実施形態での光反射部材３ｃ、図７の実施形態での板状体４と同じである。
【００５４】
なお、第一の遮光手段２の遮光部２ａに光反射部材２ｃを設ける構成、第二の遮光手段３の遮光部３ａに光反射部材３ｃを設ける構成、および第一の遮光手段２と第二の遮光手段３との間に透明な板状体４を設ける構成は、それぞれ単独でも、複数を組み合わせてもよい。
【００５５】
（変形例８）
図１０を参照する。図１０は、本発明のシート状物の欠点検査装置の別の一実施形態（変形例８）であって、欠点検査用照明と撮像手段６とが反射構成で配置された模式図である。図１０の（ａ）は、Ｘ方向からみた欠点検査装置の構成を示す平面図である。図１０の（ｂ）は、Ｙ方向からみた欠点検査装置の構成を示す平面図である。図１０では、光照射手段１が、Ｘ方向と平行に光を出射して、この光の一部が第一の遮光手段２および第二の遮光手段３を通過してビームスプリッタ９に入射する。また、シート状物５からビームスプリッタ９を通過した光が撮像手段６に入射する。ビームスプリッタ９は、Ｘ方向から入射した光をＺ方向（ここではシート状物５側）に折り曲げるとともに、Ｚ方向から入射した光を通過させる。この欠点検査装置では、欠点検査用照明から出射された光は、撮像手段の光学中心線８上に配置されたビームスプリッタ９に折り曲げられてシート状物５に照射され、シート状物５で反射した光がビームスプリッタ９を通過して撮像手段６により受光される。
【００５６】
（変形例９）
図１１を参照する。図１１は、本発明のシート状物の欠点検査装置のさらに別の一実施形態（変形例９）であって、欠点検査用照明と撮像手段６とが反射構成で配置された模式図である。図１１の（ａ）は、Ｘ方向からみた欠点検査装置の構成を示す平面図である。図１１の（ｂ）は、Ｙ方向からみた欠点検査装置の構成を示す平面図である。欠点検査用照明は、その光軸が、シート状物５の面に対して垂直方向（Ｚ方向）から傾けられた角度で配置されている。撮像手段６は、欠点検査用照明から出射された光がシート状物５で正反射し、その反射した光を受光する位置に配置されている。
【００５７】
（変形例１０）
図１２を参照する。図１２は、本発明のシート状物の欠点検査装置の別の一実施形態（変形例１０）であって、本発明のシート状物の欠点検査用照明に加えてライン状照射光源１２を設けた構成の模式図である。図１２の（ａ）は、Ｘ方向からみた欠点検査装置の構成を示す平面図である。図１２の（ｂ）は、Ｙ方向からみた欠点検査装置の構成を示す平面図である。変形例１０では、上述した実施の形態の構成に対し、ライン状照射光源１２をさらに備える。ライン状照射光源１２は、光照射手段１と平行に設置され、フィルム状物の欠点検査用照明がシート状物５に対して照射する位置に光を照射するよう配置してもよい。また、ライン状照射光源１２はシート状物５の搬送方向に対して上流側、下流側のどちらに配置してもよいし、両側に配置してもよい。また、ライン状照射光源１２は撮像手段６に対してはシート状物５を挟み込んだ光が透過する位置に配置してもよいし、シート状物５に対して照射した光が反射する位置に配置してもよい。ライン状照射光源１２を備えることで、例えばシート状物の幅方向Ｙに長い欠点１００の検査感度を併せて有することができる。
【産業上の利用可能性】
【００５８】
本発明は、シート状、板状物体上に存在する欠点の検査に限らず、微小凹凸、異物などの欠点検査にも応用することができるが、その応用範囲が、これらに限られるものではない。
【符号の説明】
【００５９】
１      光照射手段
１ａ    発光部
２      第一の遮光手段
２ａ    遮光部
２ｂ    開口部
２ｃ    光反射部材
３      第二の遮光手段
３ａ    遮光部
３ｂ    開口部
３ｃ    光反射部材
４      透明な板状体
５      シート状物
６      撮像手段
６ａ    テレセントリックレンズ
７      画像処理手段
８      撮像手段の光学中心線
９      ビームスプリッタ
１０    正反射光軸
１１    近接イメージセンサ
１１ａ  一次元受光センサアレイ
１１ｂ  ロッド状レンズアレイ
１２    ライン状照射光源
１３    照射光
１４    反射散乱光
１５    反射散乱光のうち撮像手段に向かう成分
１６    透過散乱光
１７    透過散乱光のうち撮像手段に向かう成分
１８    光ファイバからなるライン状光照射手段
１８ａ、１８ｂ  光ファイバ束
１００      欠点
１０１      長手方向Ｙに平行な欠点
θ１    ２つの遮光手段を透過する光の最小出射角度
θ２    ２つの遮光手段を透過する光の最大出射角度
θ３    第一の遮光手段の遮光部に存在する反射部を介して透過する光の最小出射角度
θ４    第一の遮光手段の遮光部に存在する反射部を介して透過する光の最大出射角度
θ５    第二の遮光手段の遮光部に存在する反射部を介して透過する光の最小出射角度
θ６    第二の遮光手段の遮光部に存在する反射部を介して透過する光の最大出射角度
θ７ａ、θ７ｂ  光ファイバ束から出射する光の光軸角度
φ      光ファイバから出射する光の開口角度
【図１】
2020059426.tif 000003
【図２】
2020059426.tif 000004
【図３】
2020059426.tif 000005
【図４】
2020059426.tif 000006
【図５】
2020059426.tif 000007
【図６】
2020059426.tif 000008
【図７】
2020059426.tif 000009
【図８】
2020059426.tif 000010
【図９】
2020059426.tif 000011
【図１０】
2020059426.tif 000012
【図１１】
2020059426.tif 000013
【図１２】
2020059426.tif 000014
【図１３】
2020059426.tif 000015
【図１４】
2020059426.tif 000016
【図１５】
2020059426.tif 000017
【図１６】
2020059426.tif 000018
【図１７】
2020059426.tif 000019
【国際調査報告】
2020059426.tif 000020
2020059426.tif 000021
2020059426.tif 000022
2020059426.tif 000023